【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
自らの第一絶対位置情報を取得する第一絶対位置取得手段と、  前記第一絶対位置取得手段に基づいて取得された第一絶対位置情報を送信し、かつ外部で取得され外部から送信される第二絶対位置情報を受信する近距離無線送受信を行う無線通信手段と、  地図情報を提供可能な地図情報提供手段と、  前記地図情報提供手段が提供する地図情報に基づく地図上で前記第一絶対位置情報に基づく位置と前記第二絶対位置情報に基づく位置とを互いに識別可能に表示する地図表示手段と、  前記無線通信手段と外部との間の通信品質を測定する通信品質測定手段と、  前記通信品質測定手段により算出された値に基づいて、前記無線通信手段より送信される第一絶対位置情報の送信頻度を変更することで通信品質改善処理を行う送信頻度変更手段と、を備えることを特徴とする位置表示装置。
【請求項２】
自らの第一絶対位置情報を取得する第一絶対位置取得手段と、  前記第一絶対位置取得手段に基づいて取得された第一絶対位置情報を送信し、かつ外部で取得され外部から送信される第二絶対位置情報を受信する近距離無線送受信を行う無線通信手段と、  地図情報を提供可能な地図情報提供手段と、  前記地図情報提供手段が提供する地図情報に基づく地図上で前記第一絶対位置情報に基づく位置と前記第二絶対位置情報に基づく位置とを互いに識別可能に表示する地図表示手段と、  前記第一無線通信手段と外部との間の通信品質を測定する通信品質測定手段と、  前記通信品質測定手段により算出された値に基づいて、前記無線通信手段より送信される第一絶対位置情報を送信するための送信電力を変更することで通信品質改善処理を行う送信電力変更手段と、を備えることを特徴とする位置表示装置。
【請求項３】
前記通信品質測定手段により算出された値に基づいて、前記無線通信手段より送信される第一絶対位置情報の送信頻度を変更することで通信品質改善処理を行う送信頻度変更手段を備えることを特徴とする請求項２記載の位置表示装置。
【請求項４】
前記通信品質改善処理が行われたかどうかを監視する通信品質改善処理監視部を備え、前記通信品質改善処理監視部からの前記通信品質改善処理が行われたという情報が前記無線通信手段から送信され、外部の無線通信手段によって受信されることにより、外部の第二位置表示装置にも同一の通信品質改善処理を行わせることを特徴とする請求項１ないし３のいずれかに記載の位置表示装置。
【請求項５】
前記通信品質改善処理が行われたという情報は、前記位置表示装置において品質改善処理が行われると同時に前記無線通信手段から複数回送信されることを特徴とする請求項４記載の位置表示装置。
【請求項６】
前記通信品質測定手段により算出された値は、前記無線通信手段から送信される第一絶対位置情報の一定時間あたりの送信回数と、前記外部から送信され前記無線通信手段により受信された一定時間あたりの受信回数とに基づいて算出されることを特徴とする請求項１ないし請求項５のいずれかに記載の位置表示装置。
【請求項７】
前記通信品質測定手段により算出された値は、前記無線通信手段と外部との通信をとりやめるための情報が前記無線通信手段により受信されるまでの間における、前記無線通信手段から送信される前記第一絶対位置情報の送信回数と前記無線手段により受信される前記第二絶対位置情報の受信回数とに基づいて算出されることを特徴とする請求項１ないし請求項５のいずれかに記載の位置表示装置。
【請求項８】
前記通信品質測定手段により算出された値は、前記第一絶対位置取得手段により経時的に複数回取得された第一絶対位置情報を複数用いることにより算出される前記無線通信手段が搭載された第一車両の進行方向の一定時間あたりの変化量に基づくことを特徴とする請求項１ないし請求項５のいずれかに記載の位置表示装置。
【請求項９】
前記通信品質測定手段により算出された値は、前記第一絶対位置取得手段により経時的に複数回取得された第一絶対位置情報を複数用いることにより算出される前記無線通信手段が搭載された第一車両の進行方向と、外部から送信されて前記無線通信手段にて経時的に複数回受信された前記第二絶対位置情報を複数用いることにより算出される外部の第二車両の進行方向とを比較することにより算出される値であることを特徴とする請求項１ないし請求項５のいずれかに記載の位置表示装置。
【請求項１０】
前記通信品質測定手段により算出された値は、前記無線通信手段が搭載された第一車両の速度情報に基づいて算出されることを特徴とする請求項１ないし請求項５のいずれかに記載の位置表示装置。
【請求項１１】
前記通信品質測定手段により算出された値は、前記無線通信手段が搭載された第一車両の速度情報と、外部の第二車両の速度情報とに基づいて算出される、前記第一車両と前記第二車両との速度差であることを特徴とする請求項１ないし請求項５のいずれかに記載の位置表示装置。
【請求項１２】
前記第二車両の速度情報は、前記無線通信手段により経時的に複数回受信される前記第二位置情報を複数用いることにより算出されることを特徴とする請求項１１記載の位置表示装置。
【請求項１３】
自らの第一絶対位置情報を取得する第一絶対位置取得手段と、  前記第一絶対位置取得手段に基づいて取得された第一絶対位置情報を送信し、かつ外部で取得され外部から送信される第二絶対位置情報を受信する近距離無線送受信を行う無線通信手段と、  地図情報を提供可能な地図情報提供手段と、  前記地図情報提供手段が提供する地図情報に基づく地図上で前記第一絶対位置情報に基づく位置と前記第二絶対位置情報に基づく位置とを互いに識別可能に表示する地図表示手段と、  前記無線通信手段とは異なる無線通信手段であって、前記第一絶対位置取得手段に基づいて取得された第一絶対値情報を送信し、かつ外部で取得され外部から送信される第二絶対位置情報を受信する遠距離無線送受信を行う遠距離無線通信手段と、  第一絶対位置情報の送信と第二絶対位置情報の受信とを、前記無線通信手段から前記遠距離無線通信手段に切り替える際に、前記遠距離無線送受信を開始するための前記遠距離無線通信手段による呼び出しの処理が行われている最中においても、前記近距離無線送受信が継続されていることを特徴とする位置表示装置。
【請求項１４】
前記無線通信手段と外部との間の通信品質を測定する通信品質測定手段を備え、  前記第一絶対位置情報の送信と第二絶対位置情報の受信とを、前記無線通信手段から前記遠距離無線通信手段に切り替える判断は、前記通信品質測定手段に基づくことを特徴とする請求項１３記載の位置表示装置。
【請求項１５】
前記遠距離無線送受信が行われている際にも、前記通信品質測定手段により前記無線通信手段と外部との間における通信品質を測定して通信品質変数を算出する処理が行われ、前記通信品質変数によっては前記遠距離無線送受信を中止して、前記近距離無線送受信が再び開始される事を特徴とする請求項１４に記載の位置表示装置。
【請求項１６】
前記通信品質変数の算出は、前記無線通信手段と外部との間で送受信されるテストパケットを用いることにより行われることを特徴とする請求項１５記載の位置表示装置。
【請求項１７】
未送信の第一絶対位置情報を前記無線通信手段から送信する送信のタイミングは、前記無線通信手段から既に送信された第一絶対位置情報を送信したタイミングを基に算出されることを特徴とする請求項１ないし請求項１６のいずれかに記載の位置表示装置。
【請求項１８】
前記通信品質測定手段により算出された値によっては、前記地図表示手段に表示される前記第二絶対位置情報に基づく位置の更新頻度を変更することを特徴とする請求項１ないし請求項１７のいずれかに記載の位置表示装置。